(57)【要約】【課題】  釣人の頭部をできだけ広い範囲で保護しつつ、しかも視界も良好となる釣用フードの提供。【解決手段】  着用者Ｈの顔面を露出するよう頭部を覆うフード本体１に着用者Ｈの側頭部を左右両側で覆う側頭被覆部７を設け、各側頭被覆部７，７における着用者Ｈの視界に入る領域に切欠部５２を設け、切欠部５２を覆う透明体５０を設けた釣用フードＡ。【選択図】  図２
2006193862.tif 000002
【特許請求の範囲】
【請求項１】
着用者の顔面を露出するよう頭部を覆うフード本体に着用者の側頭部を左右両側で覆う側頭被覆部を設けた釣用フードにおいて、前記各側頭被覆部における着用者の視界に入る領域に開口部を設け、該開口部を覆う透明体を設けたことを特徴とする釣用フード。
【請求項２】
開口部をフード本体の両側頭被覆部の視界に入る左右の一部を後方へ向けて切欠いた切欠部とし、透明体はその周縁部の一部分をフード本体の側頭被覆部に接近離間可能として他の部分はフード本体に固定していることを特徴とする請求項１記載の釣用フード。
【請求項３】
透明体はその周縁部が切欠部の周縁部の外側に重なるよう固定され、フード本体に接近離間可能とする透明体の周縁部の一部分を該透明体の下部としていることを特徴とする請求項２記載の釣用フード。
【請求項４】
透明体はフード本体に比べて硬質の材料で形成されていることを特徴とする請求項１乃至請求項３記載の釣用フード。
【請求項５】
着用者の頭部にフード本体を締付け可能な調節紐と、調節紐が挿通する挿通孔とを有し、調節紐を締付けた状態で保持可能な張力調整具を備え、前記挿通孔は調節紐が長手方向に移動できる摺動通路部と、該摺動通路部に連設され、調節紐の長手方向の移動を規制する制動通路部からなることを特徴とする請求項１乃至請求４の何れかに記載の釣用フード。
【発明の詳細な説明】
【技術分野】
【０００１】
本発明は、釣人の頭部に着用される釣用フードに関する。
【背景技術】
【０００２】
従来、この種の釣用フードとしては、袋状のフード本体に顔出し用の切欠部が設けられてなるものが知られている（例えば、特許文献１参照）。かかる釣用フードでは、釣人の頭部をできるだけ広い範囲で覆って風雨から保護するために、顔出し用の切欠部は、釣人の顔面のほぼ正面の領域のみを露出するよう形成されている。
【特許文献１】特開２００４−４４０２５号公報
【発明の開示】
【発明が解決しようとする課題】
【０００３】
ところで、釣場は種々の危険が伴うものである。しかしながら釣人の頭部を保護するために頭部をできるだけ広い範囲で覆う構成とすると、釣人の顔面の側面（横顔）の視界が狭くなってしまう。一方で、釣人の頭部はできるだけ広い範囲で保護されることが好ましい。
【０００４】
そこで本発明は、釣人の頭部をできるだけ広い範囲で保護しつつ、しかも視界も良好となる釣用フードの提供を課題とする。
【課題を解決するための手段】
【０００５】
本発明は、着用者の顔面を露出するよう頭部を覆うフード本体に着用者の側頭部を左右両側で覆う側頭被覆部を設けた釣用フードにおいて、前記各側頭被覆部における着用者の視界に入る領域に開口部を設け、該開口部を覆う透明体を設けたことを特徴としている。
【０００６】
上記構成によれば、着用者がフード本体を頭部に着用すると、両側頭被覆部によって着用者の側頭部が覆われる恰好になるが、着用者の視界に相当する左右の領域に存在する透明体によって一定の視界が確保され、側頭被覆部の一部を透明体としているから、側頭被覆部を小さくすることなく着用者の側頭部が風雨から保護される。また、透明体から光がはいるため、釣用フードの着用者にとって明るい環境で魚釣りが行える。
【０００７】
また、開口部をフード本体の両側頭被覆部の視界に入る左右の一部を後方へ向けて切欠いた切欠部とし、透明体はその周縁部の一部分をフード本体の側頭被覆部に接近離間可能として他の部分はフード本体に固定していることが好ましい。ここで透明体の周縁部とは、切欠部の後方へ向かう領域に沿う領域の意味である。
【０００８】
この構成によれば、フード本体から透明体の周縁部の一部分が離れることにより側頭被覆部と透明体との間に隙間ができるから、着用者はこの隙間から周囲の音を聞きとり易くなる。
【０００９】
透明体はその周縁部が切欠部の周縁部の外側に重なるよう固定され、フード本体に接近離間可能とする透明体の周縁部の一部分を該透明体の下部としていることが好ましい。
【００１０】
この構成によれば、側頭被覆部と透明体との間に隙間があっても、雨などの水が釣用フード内にはいりにくくなり、着用者の顔面や頭部が濡れにくくなる。
【００１１】
さらに、透明体はフード本体に比べて硬質で、且つ非吸水の材料で形成されていることが好ましい。この構成によれば、フード本体が雨等で濡れたとしても、透明体でもってフード本体の張り具合を維持することが可能である。
【００１２】
また、着用者の頭部にフード本体を締付け可能な調節紐と、調節紐が挿通する挿通孔とを有し、調節紐を締付けた状態で保持可能な張力調整具を備え、前記挿通孔は調節紐が長手方向に移動できる摺動通路部と、該摺動通路部に連設され、調節紐の長手方向の移動を規制する制動通路部からなることが好ましい。
【００１３】
かかる構成の釣用フードによれば、調節紐を把持して摺動通路部から引っ張ることで頭部に締付けて釣用フードを頭部に安定させた状態を張力調整具で保持し、調節紐を制動通路部へ移動させることで、長手方向の移動を規制する。
【００１４】
尚、開口部としては、側頭被覆部における一部であって側頭被覆部の前後方向の途中における視界に入る領域を切除することや、前述のように後方へ向けて窪む切欠部を含む意味あいである。
【発明の効果】
【００１５】
本発明によれば、釣用フードを着用した際に、着用者の視界に入る左右の領域に存在する透明体によって一定の視界を確保することができ、且つ側頭被覆部の一部を透明体としているから側頭被覆部を小さくする必要もなく、着用者の側頭部を風雨から保護することができる。
【発明を実施するための最良の形態】
【００１６】
以下、本発明の実施形態を、図面を参照して説明する。図１は釣用フード を示す全体斜視図、図２は部分拡大側面図、図３は正面全体図、図４は背面図、図５は図２におけるＡ−Ａ線矢視断面図、図６は釣用フードに設けられた紐止め具を示し（イ）は平面図（ロ）は（イ）におけるＢ−Ｂ線矢視断面図である。
【００１７】
図１および図２に示すように、本実施形態に係る釣用フードＡは、着用者Ｈの顔（顔面）を露出させる顔出し用の切欠部１０を有して頭部に着用されるフード本体１と、着用時にフード本体１の締付け具合を調節する調節紐１２と、フード本体１に形成した側頭被覆部７（着用者の側頭部や顎や耳の側面、目を側部で覆う部分）の前方に縫着された紐止め具３と、フード本体１の側頭被覆部７に縫着した透明体５０とを備えている。
【００１８】
前記フード本体１は、防水加工された不透明の外布８と、裏側のメッシュを含む内布９とで主構成される。外布８は例えばポリエステルやナイロン等の織物や編物にウレタン樹脂などで防水加工を施したもので成形され、着用者Ｈの頭部を覆うように袋状に形成されている。フード本体１は、両側の側頭被覆部７の前方端縁、即ち切欠部１０の切欠部縁からは、前方、即ち、着用時の着用者の顔側に向けて、舌片状のマスク片２がそれぞれ延設されている。図３に示すように、該マスク片２の一方には、少なくとも自由端２７近傍に雄形の面ファスナー２２が、他方の少なくとも自由端２７近傍に雌形の面ファスナー２３が設けられて、マスク片２の自由端２７側同士が互いに係合可能に構成されてなる。即ち、マスク片２同士を係合することにより、着用者Ｈの口周辺を覆うことができると共に、切欠部１０によって少なくとも両目Iが露出するように構成されている。尚、切欠部１０、マスク片２を含むフード本体１の端縁はほつれ止めの縫着生地５１（図１参照）を沿わして縫着されている。尚、三層生地でフード本体１を構成した場合は、内布９は不要となる。
【００１９】
前記フード本体１の内面下端縁近傍には、該下端縁に沿って平行にドットボタン１１の一方が取り付けられている一方、同他方が不図示の釣服の襟部などに取り付けられ、これらのドットボタンを互いに係合させることによって、フード本体１を釣服に取付け可能とされている。
【００２０】
図４に示すように、フード本体１の後頭被覆部１６（着用者の後頭部を覆う部分）の外表面（外布８の外側面）には、後頭被覆部１６の上側のだぶつきを防止する絞り手段が設けられてなる。この絞り手段は、同図に示す如く、長尺状の布片の一端２８（固定端）が外布８の後頭被覆部１６上部に縫着され、他端（自由端２９）側には、雄形（又は雌形）面ファスナー１９が設けられて絞り片１７が形成されると共に、後頭被覆部１６下部の外布８には、前記絞り片１７と略平行に長尺状の雌形（又は雄形）面ファスナー１８が縫着されて構成されてなる。即ち、絞り片１７の自由端２９側を引張り、後頭被覆部１６のだぶつきを絞った後、絞り片１７を緊張させた状態で、絞り片１７の面ファスナー１９と外布８に縫着された面ファスナー１８とを係合することにより、後頭被覆部１６の上側のだぶつきを取り除くことができる構成である。
【００２１】
フード本体１には、外布８と同じ種類の防水生地でもって、区画された紐通路２０が形成されている。詳細に説明すると、紐通路２０は、一方の側頭被覆部７の後ろ側から切欠部１０の上方を通り、他方の側頭被覆部７後ろ側まで形成されている。該紐通路２０には、前記調節紐１２が長手方向に移動可能に挿通されている。このように、外布８と同じ種類の防水生地でもって、区画された紐通路２０を形成することによって、侵入した水がこの紐通路２０に案内されてフード本体１の前方に至りにくくなる。
【００２２】
両側の側頭被覆部７の上下方向途中で、且つ着用者の目Iの側方に対応する位置に側面視半楕円形状の視界用の切欠部（開口部に相当する）５２が形成されている。前記透明体５０は切欠部５２の形状に相似する形状で固定しろ分だけ切欠部５２よりも大きい面積に形成されている。すなわち、図５の断面図に示すように、それぞれの透明体５０の周縁部５３は切欠部５２の周縁部５４の左右方向外側に重なるよう縫着（固定）されている。透明体５０は例えばウレタン製でシート状に形成されることで非吸水性を有し、且つフード本体１の後頭被覆部１６、側頭被覆部７に比べて硬質に形成されている。尚フード本体１の後頭被覆部１６、側頭被覆部７は、ポリエステルやナイロン等の織物や編物にポリウレタンやポリ塩化ビニルなどの材料で防水加工を施し、遮光性を有するよう不透明とされている。
【００２３】
また前記調節紐１２は、側頭被覆部７の外布８に開口した裸出口４（図６（ロ）参照）および後頭被覆部１６より外側に露出しており、当該露出した調節紐１２を把持して引っ張ることにより、切欠部１０の締まり具合および後頭被覆部１６の締まり具合を調節可能に構成されている。
【００２４】
尚、前記調節紐１２は、伸縮性を有する天然ゴムやブタジエンゴム、イソプレンゴム、スチレンゴム、シリコンゴムなどの合成ゴムの表面に、筒状に形成された合成樹脂繊維を被覆することで形成される。
【００２５】
また、両側頭被覆部７の前側には、調節紐１２の長手方向の移動を規制可能な紐止め具３がそれぞれ一つずつ取り付けられている。詳細に説明すると、図１，図３，図６に示す如く、前記紐止め具３は、略板状、好ましくは平面視楕円の円盤状に形成され、フード本体１の裸出口４近傍に縫着されている。該紐止め具３には、前記裸出口４と連通する挿通孔３０が設けられ、裸出口４から裸出した調節紐１２が該挿通孔３０に挿通されている。尚、前記紐止め具３は、エラストマーなどの熱可塑性樹脂を射出成形や押出成形することによって厚さが０．５〜５ｍｍ程度に形成される。
【００２６】
前記紐止め具３の挿通孔３０は、調節紐１２が、長手方向に自由に移動可能な摺動通路部３１と、該摺動通路部３１に連接され、調節紐１２の長手方向の移動を規制する制動通路部３２とから構成され、調節紐１２は、摺動通路部３１と制動通路部３２との間を移動することができる。
【００２７】
かかる紐止め具３は、制動通路部３２が摺動通路部３１よりも前方（顔方向）に位置するように縫着されていることが好ましい。即ち、フード本体１を着用したときに、摺動通路部３１と制動通路部３２が略水平方向に位置し、且つ、制動通路部３２が摺動通路部３１に対して前方に配置されている。従って、摺動通路部３１に挿通された調節紐１２を顔方向に引っ張ると、調節紐１２が、制動通路部３２に移動する。
【００２８】
前記摺動通路部３１は、調節紐１２の直径よりも大きい直径の穴を穿設することで形成され、制動通路部３２は、前記摺動通路部３１と略同径もしくは、摺動通路部３１よりも大きい直径の穴を穿設することで形成され、調節紐１２は摺動通路部３１と制動通路部３２とを移動可能に構成されている。
【００２９】
制動通路部３２には、略扇状に形成された４つの舌状片３３が設けられている。かかる舌状片３３は、制動通路部３２の穴の内周面から中心側に向かって突設され、扇状の要部分が中心側に位置するように形状設定されている。また、舌状片３３は弾性を有し、調節紐１２が制動通路部３２に移動すると当該調節紐１２と干渉して弾性変形することによる弾性力によって保持され、これによって調節紐１２の長手方向の移動が規制されるように構成されている。
【００３０】
また、紐止め具３の下方位置には、鳩目６が設けられており、挿通孔３０（裸出口）より外側に裸出した調節紐１２は、該鳩目６に挿通されることにより、再び外布８と内布９の間に収納される。即ち、挿通孔３０より裸出した調節紐１２を引っ張ったときに紐通路２０より露出する調節紐１２を、鳩目６に挿通することにより、露出した調節紐１２が手などに引っ掛かったりすることを防止できる。
【００３１】
本実施形態に係る釣用フードＡは、上記の如く構成され、調節紐１２が紐止め具３の挿通孔３０の摺動通路部３１に位置しているときに、フード 本体１の側頭被覆部７から露出した調節紐１２を引っ張って切欠部１０周りの締まり具合を調節した後、調節紐１２を制動通路部３２に移動させることにより当該調節紐１２の引き出し状態が固定される。即ち、切欠部１０の締付け状態を保持することができる。
【００３２】
また、調節紐１２を制動通路部３２から摺動通路部３１に移動させることにより、調節紐１２が長手方向に移動可能となり、切欠部１０周り及び後頭被覆部１６の締付けが容易に解放される。
【００３３】
このように、調節紐１２の長さ、即ち、フード 本体１の締まり具合の調節を片手で行うことができるため、もう片方の手が塞がっている場合であっても、切欠部周りの締まり具合を容易に調節することができる。
【００３４】
また、両手が空いている場合は、両側頭被覆部７から露出した調節紐１２を両手でそれぞれ把持することにより、左右同時に締まり具合の調節を行うことも可能となる。
【００３５】
紐止め具３の制動通路部３２が摺動通路部３１よりも前方（顔方向）に位置するように紐止め具３を縫着することにより、調節紐１２を顔方向に向かって引っ張ることで該調節紐１２が摺動通路部３１から制動通路部に移動するため、着用した釣用フードＡが脱げることを防止できる。即ち、釣用フードＡは、着用者の後頭部から顔方向に向けて被るように構成されているため、該フードを後頭部に向けて引っ張ると脱げる虞があるが、調節紐１２を顔方向に向けて引っ張って固定するように構成することにより、着用した釣用フードＡが脱げることを防止できる。
【００３６】
ところで、上記釣用フードＡでは、着用者Ｈが釣用フードＡを着用する時にフード本体１の後頭被覆部１６でもって着用者Ｈの後頭部が覆われ、両側の側頭被覆部７でもって着用者Ｈの側頭部が覆われる。しかし、両側頭被覆部７でもって着用者Ｈの側頭被覆部７が覆われたとしても、側頭被覆部７における着用者Ｈの視界に相当する左右の領域には透明体５０があるから、これら透明体５０を通して着用者Ｈは外界を視認することができる。
【００３７】
例えばこれまで着用者Ｈが背後を見るためには大きく後ろを振り返るようにしなければならなかったが、釣用フードＡは、側頭被覆部７における着用者Ｈの視界に相当する左右の領域に透明体５０を有して視界が広がっているから、着用者Ｈは背後を見るために大きく後ろを振り返るようにしなくても目視でき、便利である。
【００３８】
また、釣場での風雨時には着用者Ｈの頭部をなるべく多くの範囲で保護することが好ましいが、これまでは視界が狭くなってしまっていたことに加え、視界が狭くなることでの不安感も生じていた。そして釣場では周囲に危険を伴うことも多い。しかし本発明の実施形態では、上記のように、側頭被覆部７における着用者Ｈの視界に相当する左右の領域の透明体５０を通して着用者Ｈは外界を視認することができ、側頭被覆部７における着用者Ｈの視界に相当する左右の領域に透明体５０を設けてあるので、視界を広げるために側頭被覆部７を小さくするといった必要がなく、着用者Ｈの頭部を広い範囲で覆い（保護し）つつ視界を確保することが可能となる。
【００３９】
図７および図８に別の実施形態を示す。この実施形態の釣用フードＡが上記実施形態と異なる部分の構成を説明する。透明体５０はフード本体１に形成された切欠部５２を覆うよう設けられるとともに、透明体５０は切欠部５２の外周部の所定領域５６（後述する）に外方（側方）から側頭被覆部７に重ねられるよう、切欠部５２に比べて大きな面積に設定されている。尚、この切欠部５２の大きさ形状は、上記実施形態と同様である。
【００４０】
透明体５０の周縁部５７は、該周縁部５７に沿う縫着生地５９（側頭被覆部７の一部）によって外装保護され、この縫着生地５９は非固定領域６０（図７参照）を除いて、分割された側頭被覆部７（７ａ）の端縁部に透明体５０を介して重ねて縫着されている。該非固定領域６０は、透明体５０の下周縁の前部に相当する領域である。尚、透明体５０の周縁部５７と切欠部５２の周縁部５８に渡すよう目止め５５が裏側から施されている（溶着されている）。
【００４１】
このような構成を有する釣用フードＡでは、透明体５０はその周縁部５７の一部分がフード本体１（側頭被覆部７）に接近離間可能となっている。接近離間可能とは、周縁部５７の一部分が側頭被覆部７に縫着（固定）されておらず、着用者Ｈの動きに応じてあるいは常時的にフード本体１との間に隙間を形成することが可能であることの意味である。一方、側頭被覆部７は着用者Ｈの耳を含んで側頭部を覆う。しかしこの実施形態では、透明体５０の周縁部５７の一部分を非固定領域６０としてフード本体１に縫着していない領域としているから、非固定領域６０とフード本体１との間には容易に隙間６１ができる。したがって、着用者Ｈはこの隙間６１から入る周囲の音や声を聞くことができるのである。したがってこの実施形態において、非固定領域６０は切欠部５２の形状によって適正位置は変更される場合も考えられる。すなわち切欠部５２の形状に応じて、着用者Ｈが音や声を聞きやすい適正位置に変更することが行われる。
【００４２】
ここで、前述の所定領域５６とは、隙間６１から入った音や声を整え、また水や風が入るのを充分に抑えられる領域であり、そのために必要な面積を有する。すなわち、所定領域５６では側頭被覆部７と透明体５０とで形成されるわずかな左右方向幅を有する空間６２によって隙間６１から入る周囲の音や声が整えられて着用者Ｈの耳に入る。
【００４３】
側頭被覆部７は着用者Ｈの耳を含んで側頭部を覆うため、これまでは呼び声など聞き取りにくかった。しかしこの実施形態の釣用フードＡでは、隙間６１を設けているので周囲の音や声を着用者Ｈが聞き取ることができる。透明体５０を切欠部５２の外周部の所定領域５６に外方から側頭被覆部７に重ねるよう切欠部５２に比べて大きな面積に設定したのは、音や声を通す空間６２を側頭被覆部７に直接形成しないようにするためである。空間６２を側頭被覆部７に直接形成すれば、その空間（隙間）から水や風が進入するので好ましくない。
【００４４】
そしてこの実施形態の構成でも、上記実施形態と同様にフード本体１の側頭被覆部７に配置した透明体５０によって、着用者Ｈの頭部をできるだけ広い範囲で保護しつつ視界も確保できる。
【００４５】
さらに、透明体５０は切欠部５２の外周部の所定領域５６に外方から側頭被覆部７に重ねられるよう、また非固定領域６０は、透明体５０の下周縁に相当する領域としている。このため、側頭被覆部７と透明体５０との間に形成される隙間６１は下方に開放される空間となる。このため、フード本体１の側頭被覆部７に付着した雨等の水は透明体５０から下方へ移動するのみで、隙間６１から進入するのを防止できる。
【００４６】
本発明の釣用フードＡは、上記した実施の形態に限定されるものではなく、本発明の要旨を逸脱しない範囲内において種々変更を加え得ることは勿論である。例えば、上記各実施形態では、透明体５０はフード本体１（側頭被覆部７）に縫着により固定したが、耐久性等を考慮して充分であれば透明体５０をフード本体１に接着剤で固定することも可能である。
【００４７】
また、図７および図８で示した実施形態では、所定領域５６の部分は側頭被覆部７の一部であり、不透明な材料を用いたがこれに限定されず、透明な材質で形成することも可能であり、この場合風雨の進入を防ぎつつ視界をさらに広げることができる。さらに、上記各実施形態においては、透明体５０は側頭被覆部７に縫着によって固定したが、強度性あるいは耐久性に問題がなければ、溶着によって固定することも可能である。
【図面の簡単な説明】
【００４８】
【図１】本発明の一実施形態に係る釣用フード を示す全体斜視図。
【図２】同じく部分拡大側面図。
【図３】同じく正面全体図。
【図４】同じく背面図。
【図５】図２におけるＡ−Ａ線矢視断面図。
【図６】同じく釣用フードに設けられた紐止め具を示し（イ）は平面図（ロ）は（イ）におけるＢ−Ｂ線矢視断面図。
【図７】別な実施形態を示す要部拡大側面図。
【図８】同じく図７におけるＣ−Ｃ線断面矢視図。
【符号の説明】
【００４９】
１…フード本体、３…紐止め具、７…側頭被覆部、８…外布、９…内布、１０…顔出し用の切欠部、１２…調節紐、１６…後頭被覆部、３１…摺動通路部、３２…制動通路部、５０…透明体、５１…縫着生地、５２…切欠部、５５…目止め、５６…所定領域、５７…周縁部、５８…周縁部、５９…縫着生地、６０…非固定領域、Ａ…釣用フード、Ｈ…着用者
【図１】
2006193862.tif 000003
【図２】
2006193862.tif 000004
【図３】
2006193862.tif 000005
【図４】
2006193862.tif 000006
【図５】
2006193862.tif 000007
【図６】
2006193862.tif 000008
【図７】
2006193862.tif 000009
【図８】
2006193862.tif 000010